(57)【要約】【課題】  波形解析装置が出力波形によって自動的にすべての計測を行うことができるＤＶＤの再生装置あるいは録画再生装置、自動計測システム、自動計測方法を提供する。【解決手段】  自動計測モードを選択できるモード選択手段６と、モード選択手段６による自動計測モードの指令を入力し、ＶＢＩデータを特定するためのＶＢＩデータ枠波形とＶＢＩデータが存在する場合のＶＢＩデータの出力波形とを強制的に消去する出力波形消去手段７と、自動計測用信号を入力し自動計測用出力波形を出力する入出力手段８と、を備えた。【選択図】  図２
2005285237.tif 000002
【特許請求の範囲】
【請求項１】
自動計測モードを選択できるモード選択手段と、
前記モード選択手段による自動計測モードの指令を検知し、ＶＢＩデータを特定するためのＶＢＩデータ枠波形とＶＢＩデータが存在する場合のＶＢＩデータの出力波形とを強制的に消去する出力波形消去手段と、
自動計測用信号を入力し自動計測用出力波形を出力する入出力手段と、を備えたことを特徴とするＤＶＤの再生装置あるいは録画再生装置。
【請求項２】
自動計測用出力波形を出力したことを検知する出力波形検知手段と、
前記出力波形検知手段から検知信号を入力し、前記出力波形消去手段による出力波形の強制的消去の状態から、前記ＶＢＩデータ枠波形とＶＢＩデータが存在する場合のＶＢＩデータの出力波形とを出力する状態に復旧する出力波形復旧手段と、をさらに備えたことを特徴とする請求項１記載のＤＶＤの再生装置あるいは録画再生装置。
【請求項３】
クロックを有し、前記出力波形消去手段による出力波形の強制的消去から所定時間経過後に、前記ＶＢＩデータ枠波形とＶＢＩデータが存在する場合のＶＢＩデータの出力波形とを出力する状態に復旧する出力波形復旧手段、をさらに備えたことを特徴とする請求項１記載のＤＶＤの再生装置あるいは録画再生装置。
【請求項４】
請求項１〜３のいずれかに記載のＤＶＤの再生装置あるいは録画再生装置と、
複数種類の所定の計測目的のための信号を所定の順番で連続的に出力する自動計測信号出力手段と、
前記自動計測信号出力手段からの自動計測用信号を入力した前記ＤＶＤの再生装置あるいは録画再生装置の出力波形を検出して自動的に波形解析を行う波形解析装置と、
を備えたことを特徴とするＤＶＤの再生装置あるいは録画再生装置の自動計測システム。
【請求項５】
ＤＶＤの再生装置あるいは録画再生装置の出力波形における、ＶＢＩデータを特定するためのＶＢＩデータ枠波形とＶＢＩデータが存在する場合のＶＢＩデータの出力波形とを強制的に消去する段階と、
複数種類の所定の計測目的のための信号を所定の順番で連続的に検査対象のＤＶＤの再生装置あるいは録画再生装置に出力する段階と、
前記ＤＶＤの再生装置あるいは録画再生装置の自動計測用出力波形を自動検出する段階と、
前記自動計測用波形の波形解析を行う段階と、
を有することを特徴とするＤＶＤの再生装置あるいは録画再生装置の自動計測方法。
【発明の詳細な説明】
【技術分野】
【０００１】
本発明は、自動計測可能なＤＶＤの再生装置あるいは録画再生装置と、それを用いたＤＶＤの再生装置あるいは録画再生装置の自動計測システムと、ＤＶＤの再生装置あるいは録画再生装置の自動計測方法に関する。
【０００２】
特に、複数種類の所定の計測目的の信号を連続的に検査対象のＤＶＤの再生装置あるいは録画再生装置に入力し、その出力波形から自動的に複数種類の計測（波形解析）を行うことができるＤＶＤの再生装置あるいは録画再生装置、それを用いたＤＶＤの再生装置あるいは録画再生装置の自動計測システム、ＤＶＤの再生装置あるいは録画再生装置の自動計測方法に関する。
【背景技術】
【０００３】
ＤＶＤの再生装置あるいは録画再生装置は、工場で製作された後に各種の性能を出荷前に確認するために計測を行う。
【０００４】
上記計測は、たとえば映像レベル、カラーレベル、ノイズレベル、音声レベル、位相等の複数の計測項目（計測目的）について行われる。計測では、たとえば映像レベルはピーク・トゥ・ピークで１ボルト、ノイズレベルはＳ／Ｎ比が４０デシベル以上、音声レベルは９００ｍＶ以上等の基準があり、それらが満たされているか否かを計測する。
【０００５】
ところで、ＤＶＤの再生装置あるいは録画再生装置は、入力信号のうち画面を描き終わってから次の画面を描き始めるまでの空白の部分にＶＢＩデータ(Vertical Blanking Interval Data)を入れている。これらのＶＢＩデータは垂直帰還ラインに入れられ、垂直帰還ラインはたとえば入力信号の２１ライン目に入れられる。
【０００６】
図５はＤＶＤの再生装置あるいは録画再生装置の出力波形を示している。
【０００７】
上記例のようにＶＢＩデータが入力信号の２１ライン目に入れられている場合は、出力波形の２１ライン目の始まりの部分には水平ラインのスタートを示すシンクチップが出力され、そして、図５に示すように２１ライン目の出力波形の始まりの部分と終わりの部分（シンクチップの内側）に一対のパルスが出力される。
【０００８】
上記一対のパルスは、その間にＶＢＩデータの出力波形を容れ、ＶＢＩデータの出力波形が該パルスから何番目の出力波形というようにＶＢＩデータを特定するための基準としての役割を果たす。これらの一対のパルスを本明細書では「ＶＢＩデータ枠波形」と呼ぶことにする。
【０００９】
ＶＢＩデータ枠波形は、ＤＶＤの再生装置あるいは録画再生装置の出力波形に必然的に入れられる。
【００１０】
すなわち、ＶＢＩデータの有無に拘わらず、ＶＢＩデータ枠波形はＶＢＩデータを載せるラインの始まりの部分と終わりの部分に入れられる。
【００１１】
従来のＤＶＤの再生装置あるいは録画再生装置の計測は、ＶＢＩデータ枠波形から何番目の出力波形は何の計測のための出力波形かを特定し、該出力波形を解析するようにしていた。
【００１２】
たとえば、図５に示すように、最初のＶＢＩデータ枠波形からｎ番目の出力波形を検出し、予定されている計測目的のための検査（波形解析）のみを行っていた。
【００１３】
計測項目（計測目的）が複数ある場合には、計測項目ごとに計測用信号を入力し、その計測項目に対応する番号の出力波形を検出して波形解析を行っていた。
【００１４】
先行技術文献
本発明は上記ＤＶＤの再生装置あるいは録画再生装置の出荷時の検査（計測）を自動化しようとして本願出願人が独自に考案したものであるため、本願出願人が知る限り先行技術文献が存在しない。
【発明の開示】
【発明が解決しようとする課題】
【００１５】
しかし、従来のＤＶＤの再生装置あるいは録画再生装置の計測は、上述したように、計測項目ごとにＶＢＩデータ枠波形から何番目に何の計測目的のための出力波形を出力するかを予め定め、該番号の出力波形について波形解析を行っていたため、連続的にすべての計測項目を計測することができなかった。
【００１６】
このため、計測用信号の入力が複数回にわたって入力され、それに対応して波形解析も複数回行われ、製品の出荷時の検査の効率が低かった。
【００１７】
そこで、本発明が解決しようとする課題は、すべての計測用信号を一時に入力し、波形解析装置が出力波形によって自動的にすべての計測を行うことができるＤＶＤの再生装置あるいは録画再生装置、ＤＶＤの再生装置あるいは録画再生装置の自動計測システムおよびＤＶＤの再生装置あるいは録画再生装置の自動計測方法を提供することにある。
【課題を解決するための手段】
【００１８】
ＤＶＤの再生装置あるいは録画再生装置の自動計測を行うためには、すべての計測目的のための計測用信号を所定の順番で連続的に入力するようにし、最初の出力波形を検出してその出力波形からの距離（時間的距離）によって所定の測定項目について出力波形の波形解析を行えばよい。
【００１９】
しかしその場合に、問題となるのが上述したＶＢＩデータ枠波形である。
【００２０】
つまり、ＶＢＩデータ枠波形は上記例では２１ライン目に出力されるので、ＶＢＩデータ枠波形から計測用の出力波形の距離（時間的距離）のばらつきにより、正確な自動計測を行うことができない問題が生じる。
【００２１】
そこで、本発明は、検査される側のＤＶＤの再生装置あるいは録画再生装置にＶＢＩデータ枠波形とＶＢＩデータが存在する場合のＶＢＩデータの出力波形とを強制的に消去する出力波形消去手段を設けることにより、計測用信号の最初の出力波形を自動的に検出できるようにし、その出力波形からの距離（時間的距離）によって定められた測定項目について自動的に波形解析を行えるようにした。
【００２２】
本発明によるＤＶＤの再生装置あるいは録画再生装置は、自動計測モードを選択できるモード選択手段と、前記モード選択手段による自動計測モードの指令を検知し、ＶＢＩデータを特定するためのＶＢＩデータ枠波形とＶＢＩデータが存在する場合のＶＢＩデータの出力波形とを強制的に消去する出力波形消去手段と、自動計測用信号を入力し自動計測用出力波形を出力する入出力手段と、を備えたことを特徴とする。
【００２３】
本発明によるＤＶＤの再生装置あるいは録画再生装置は、自動計測用出力波形を出力したことを検知する出力波形検知手段と、前記出力波形検知手段から検知信号を入力し、前記出力波形消去手段による出力波形の強制的消去の状態から、前記ＶＢＩデータ枠波形とＶＢＩデータが存在する場合のＶＢＩデータの出力波形とを出力する状態に復旧する出力波形復旧手段と、をさらに備えることができる。
【００２４】
本発明によるＤＶＤの再生装置あるいは録画再生装置は、クロックを有し、前記出力波形消去手段による出力波形の強制的消去から所定時間経過後に、前記ＶＢＩデータ枠波形とＶＢＩデータが存在する場合のＶＢＩデータの出力波形とを出力する状態に復旧する出力波形復旧手段、をさらに備えることができる。
【００２５】
本発明によるＤＶＤの再生装置あるいは録画再生装置の自動計測システムは、上記ＤＶＤの再生装置あるいは録画再生装置と、複数種類の所定の計測目的のための信号を所定の順番で連続的に出力する自動計測信号出力手段と、前記自動計測信号出力手段からの自動計測用信号を入力した前記ＤＶＤの再生装置あるいは録画再生装置の出力波形を検出して自動的に波形解析を行う波形解析装置と、を備えたことを特徴とする。
【００２６】
本発明によるＤＶＤの再生装置あるいは録画再生装置の自動計測方法は、ＤＶＤの再生装置あるいは録画再生装置の出力波形における、ＶＢＩデータを特定するためのＶＢＩデータ枠波形とＶＢＩデータが存在する場合のＶＢＩデータの出力波形とを強制的に消去する段階と、複数種類の所定の計測目的のための信号を所定の順番で連続的に検査対象のＤＶＤの再生装置あるいは録画再生装置に出力する段階と、前記ＤＶＤの再生装置あるいは録画再生装置の自動計測用出力波形を自動検出する段階と、前記自動計測用波形の波形解析を行う段階と、を有することを特徴とする。
【発明の効果】
【００２７】
本発明によれば、ＤＶＤの再生装置あるいは録画再生装置に備えられた出力波形消去手段により、ＶＢＩデータ枠波形とＶＢＩデータが存在する場合のＶＢＩデータの出力波形とを強制的に消去し、該ＤＶＤの再生装置あるいは録画再生装置にすべての計測目的のための計測用信号を所定の順番で連続的に入力して自動計測用出力波形を出力し、前記自動計測用出力波形の最初の出力波形を検知して自動的にすべての計測項目について出力波形の波形解析を行うことができる。
【００２８】
これにより、ＤＶＤの再生装置あるいは録画再生装置の計測を完全に自動化することができ、効率よく出荷時の性能検査を行うことができる。
【発明を実施するための最良の形態】
【００２９】
最初に本発明によるＤＶＤの再生装置あるいは録画再生装置の自動計測システムの物理的な構成を概略説明する。
【００３０】
図１は本発明によるＤＶＤの再生装置あるいは録画再生装置の自動計測システムの一例を示している。
【００３１】
図１に示すように、本例によるＤＶＤの再生装置あるいは録画再生装置の自動計測システム１は、自動計測機２と、検査対象のＤＶＤの再生・録画再生装置３とからなる。
【００３２】
ＤＶＤの再生・録画再生装置３は、再生専用機、再生と録画が可能な機器の双方を含むものとする。
【００３３】
自動計測機２は、自動計測信号出力手段４と波形解析装置５とを有している。
【００３４】
自動計測信号出力手段４は、複数種類の所定の計測目的のための信号を所定の順番で連続的に出力する手段である。
【００３５】
上記所定の順番で連続的に出力される複数種類の計測目的のための信号を「自動計測用信号」ということにする。
【００３６】
自動計測用信号は、映像レベルを計測するための映像信号、カラーレベルを計測するためのカラーバーの映像信号、ノイズレベルを計測するための白５０％レベルの映像信号、音声レベルを計測するためのオーディオ信号、位相を計測するためのバースト信号等を含んでいる。
【００３７】
波形解析装置５は、自動計測用信号を入力したＤＶＤの再生・録画再生装置３の出力波形を入力し、波形解析を行う装置である。
【００３８】
自動計測信号出力手段４と波形解析装置５は一体的に構成されていてもよいし、図に示すように波形解析装置５が汎用的なコンピューターからなっていてもよい。
【００３９】
なお、波形解析装置５は専ら波形解析を行う装置でも、出力波形の計測と波形解析の双方を行う装置であってもよい。
【００４０】
ＤＶＤの再生・録画再生装置３は、図２に示すように複数の手段を有している。
【００４１】
すなわち、ＤＶＤの再生・録画再生装置３は、モード選択手段６と、出力波形消去手段７と、入出力手段８と、出力波形検知手段９と、出力波形復旧手段１０とを有している。
【００４２】
モード選択手段６は、自動計測モード（治具モードともいう）を選択できる手段である。
【００４３】
モード選択手段６の自動計測モードの選択は、リモコンや装置本体の操作キーを押すことによって選択できるようにしてもよいし、図１のように接続した状態で自動計測機２からの信号の入力によって選択できるようにしてもよい。
【００４４】
出力波形消去手段７は、自動計測モードになったときに、ＶＢＩデータ枠波形とＶＢＩデータが存在する場合のＶＢＩデータの出力波形とを強制的に消去する手段である。
【００４５】
出力波形の強制的消去は、任意の公知の手段、たとえば消去としようとする部分の出力信号を整流したり、あるいは該部分に平坦な出力波形の信号（たとえば黒１００％の信号）を出力したりすることによって達成することができる。
【００４６】
入出力手段８は、自動計測用信号を入力し自動計測用出力波形を出力する手段である。
【００４７】
入出力手段８は、通常のＤＶＤの再生・録画再生装置の入出力手段と同一のものである。
【００４８】
出力波形検知手段９は、自動計測用出力波形を出力したことを検知する手段である。
【００４９】
すなわち、出力波形検知手段９は、自動計測用出力波形を出力し終えたことを検知し、そのことによって自動計測が終了したことを検知する手段である。
【００５０】
出力波形復旧手段１０は、上記出力波形検知手段９から自動計測終了の信号を受け取り、出力波形消去手段７による出力波形の強制的消去の状態から、ＶＢＩデータ枠波形とＶＢＩデータが存在する場合のＶＢＩデータの出力波形とを通常通り出力する状態に復旧する手段である。
【００５１】
すなわち、ＶＢＩデータ枠波形やＶＢＩデータは通常のＤＶＤの再生・録画再生装置の運転状態では重要な役割を果たすので、出力波形復旧手段１０は、ＶＢＩデータ枠波形やＶＢＩデータの強制消去の状態から通常の運転状態にＤＶＤの再生・録画再生装置３を戻す機能を果たす。
【００５２】
なお、出力波形復旧手段１０は、上記したように出力波形検知手段９の信号によって作動する場合と、クロックを有し、出力波形消去手段７による出力波形の強制的消去から所定時間経過後に、通常の運転状態にＤＶＤの再生・録画再生装置３を復旧する場合とがある。
【００５３】
以上の諸手段は、入出力手段８を除き、物理的には上述した諸機能を行うように記述したプログラムによって制御されたＤＶＤの再生・録画再生装置３のマイコンからなるのが好ましい。
【００５４】
次に、上記構成を有する自動計測システム１およびＤＶＤの再生・録画再生装置３による自動計測方法について説明する。
【００５５】
図３に本発明による自動計測方法の処理の流れを示す。
【００５６】
図３に示すように、最初に自動計測モードを選択するための外部入力があって処理が開始される（ステップ１００）。
【００５７】
この外部入力は、リモコンや装置本体の操作キーの入力、あるいは、図１に示した接続状態での自動計測機２からの信号入力のいずれでもよい。
【００５８】
上記外部入力が自動計測モードを選択する指令であり、ＤＶＤの再生・録画再生装置３が自動計測モードに切り替わった場合には（ステップ１１０におけるＹｅｓの枝）、ＶＢＩデータ枠波形とＶＢＩデータが存在する場合のＶＢＩデータの出力波形とを強制的に消去する（ステップ１２０）。この出力波形の強制的消去の処理は出力波形消去手段７によって行われる。
【００５９】
次に、検査対象のＤＶＤの再生・録画再生装置３に、自動計測用信号を出力する（ステップ１３０）。自動計測用信号の出力は自動計測信号出力手段４によって行われる（図１参照）。
【００６０】
上記自動計測用信号を入力したＤＶＤの再生・録画再生装置３は、入出力手段８により出力波形を出力し、この出力波形を波形解析装置５が自動的に検出し（ステップ１４０）、波形解析を開始する（ステップ１５０）。
【００６１】
ここで、出力波形の自動検出と自動解析についてその仕組みを図４を用いて説明する。
【００６２】
図４に示すように、通常のＤＶＤの再生・録画再生装置３の出力波形のＶＢＩデータ枠波形１１が出力波形消去手段７によって強制的に消去されることにより、ＶＢＩデータを載せる２１ライン目の出力波形が平坦になる。
【００６３】
この状態で、自動計測用信号の入力に応じて、自動計測用出力波形１２が出力される。
【００６４】
波形解析装置５は、ＤＶＤの再生・録画再生装置３の出力波形を入力し、自動計測用出力波形１２の最初の出力波形をトリガーとして、自動計測を開始する。
【００６５】
トリガーから連続的に検知される出力波形は、予め所定の検査目的のための複数種類の信号を所定の順番で連続的に配置した自動計測用信号に対応する自動計測用出力波形であるから、それぞれの計測目的について出力波形の波形解析を行うことができ、必要な計測項目のすべてを計測することができるのである。
【００６６】
再び図３に戻って説明すると、ステップ１５０の次に、ＤＶＤの再生・録画再生装置３においては、自動計測が終了したか否かを判断する（ステップ１６０）。
【００６７】
この自動計測の終了の判断は、２通りの方法がある。
【００６８】
一つは前記出力波形検知手段９により、すべての自動計測用出力波形１２が出力されたことを検知し、その検知の信号によって自動計測が終了したと判断する方法である。
【００６９】
もう一つは、クロックによって出力波形消去手段7による出力波形の強制的消去から所定時間が経過したか否かをカウントし、所定時間経過後に自動計測が終了したと判断する方法である。
【００７０】
ステップ１６０において自動計測が終了したと判断された場合には、出力波形消去手段７による出力波形の強制的消去の状態から、ＶＢＩデータ枠波形とＶＢＩデータが存在する場合のＶＢＩデータの出力波形とを通常通り出力する状態に復旧する（ステップ１７０）。この復旧の処理は出力波形復旧手段１０により行われる。
【００７１】
出力波形復旧手段１０による復旧後はＤＶＤの再生・録画再生装置３は通常の処理を行うようになる（ステップ１８０）。
【００７２】
なお、ステップ１１０において、自動計測モードになっていなければ、ステップ１８０の通常の処理を行う。
【００７３】
また、ステップ１６０において自動計測が終了していなければ、引き続きＤＶＤの再生・録画再生装置３の出力波形を検出し、波形解析を行う。
【００７４】
本発明のＤＶＤの再生装置あるいは録画再生装置、ＤＶＤの再生装置あるいは録画再生装置の自動計測システムおよびＤＶＤの再生装置あるいは録画再生装置の自動計測方法によれば、検査対象のＤＶＤの再生・録画再生装置３のＶＢＩデータ枠波形とＶＢＩデータが存在する場合のＶＢＩデータの出力波形とを強制的に消去することにより、自動計測用出力波形１２の最初の波形をトリガーとして、自動的に計測を開始し、トリガーに続く種々の計測目的のための出力波形を連続的に入力して波形解析を行うことができる。
【００７５】
これにより、出荷時のＤＶＤの再生・録画再生装置の性能試験が大幅に自動化され、効率よい検査を行うことができる。
【００７６】
なお、上記説明では自動計測用出力波形１２の最初の波形をトリガーとするように説明したが、自動計測用出力波形１２とは別にトリガー用の波形を付加するようにしてもよい。
【００７７】
上記「ＤＶＤの再生装置あるいは録画再生装置」は、ＤＶＤの再生あるいは録画再生をすることができる装置という意味であり、ＤＶＤの複合機、たとえばＤＶＤとビデオテープの再生あるいは録画再生を行う装置、記憶媒体としてハードディスクを含むＤＶＤの再生装置あるいは録画再生装置等を含む。
【図面の簡単な説明】
【００７８】
【図１】本発明によるＤＶＤの再生装置あるいは録画再生装置の自動計測システムの構成を示した概略構成図。
【図２】本発明の一実施形態によるＤＶＤの再生・録画再生装置の構成を示した図。
【図３】本発明による自動計測方法の処理の流れを示すフローチャート。
【図４】本発明による自動計測を説明するための説明図。
【図５】従来の計測を説明するための説明図。
【符号の説明】
【００７９】
１  ＤＶＤの再生装置あるいは録画再生装置の自動計測システム
２  自動計測機
３  ＤＶＤの再生・録画再生装置
４  自動計測信号出力手段
５  波形解析装置
６  モード選択手段
７  出力波形消去手段
８  入出力手段
９  出力波形検知手段
１０  出力波形復旧手段
１１  ＶＢＩデータ枠波形
１２  自動計測用出力波形
【図１】
2005285237.tif 000003
【図２】
2005285237.tif 000004
【図３】
2005285237.tif 000005
【図４】
2005285237.tif 000006
【図５】
2005285237.tif 000007